(57)【要約】【課題】  ファクシミリ受信出力時の記録紙ジャムを防止することができるインクジェットキャリッジ制御方式を提供する。【解決手段】  複数の同一色ヘッドを有するキャリッジ１の主走査方向移動範囲を制御するインクジェットキャリッジ制御方式であって、キャリッジ１は、主走査方向両端にＫヘッドを有し、ファクシミリ受信出力の場合は、主走査方向先端側のＫヘッドのみを使用する。【選択図】  図３
2006001255.tif 000002
【特許請求の範囲】
【請求項１】
複数の同一色ヘッドを有するキャリッジの主走査方向移動範囲を制御するインクジェットキャリッジ制御方式であって、前記キャリッジは、主走査方向両端にそれぞれＫヘッドを有し、ファクシミリ受信出力の場合は、主走査方向先端側のＫヘッドのみを使用することを特徴とするインクジェットキャリッジ制御方式。
【請求項２】
請求項１記載のインクジェットキャリッジ制御方式において、ファクシミリ受信出力時の主走査方向先端側のＫヘッドのみを使用する制御機能の有効／無効を切り替え可能としたことを特徴とするインクジェットキャリッジ制御方式。
【請求項３】
請求項１記載のインクジェットキャリッジ制御方式において、ファクシミリ受信に際し両面印刷出力を行う場合、第２面に関してのみファクシミリ受信出力時の主走査方向先端側のＫヘッドのみを使用する制御を行うことを特徴とするインクジェットキャリッジ制御方式。
【請求項４】
複数の同一色ヘッドを有するキャリッジの主走査方向移動範囲を制御するインクジェットキャリッジ制御装置を備えたインクジェットプリンタであって、前記キャリッジは、主走査方向両端にそれぞれＫへッドを有し、ファクシミリ受信出力の場合は、主走査方向先端側のＫヘッドのみを使用することを特徴とするインクジェットプリンタ。
【請求項５】
請求項４記載のインクジェットプリンタにおいて、ファクシミリ受信出力時の主走査方向先端側のＫヘッドのみを使用する制御装置の有効／無効を切り替え可能としたことを特徴とするインクジェットプリンタ。
【請求項６】
請求項４記載のインクジェットプリンタにおいて、ファクシミリ受信に際し両面印刷出力を行う場合、第２面に関してのみファクシミリ受信出力時の主走査方向先端側のＫヘッドのみを使用する制御を行うことを特徴とするインクジェットプリンタ。
【発明の詳細な説明】
【技術分野】
【０００１】
本発明は、複数の同一色ヘッドを有するキャリッジの主走査方向移動範囲を制御するインクジェットキャリッジ制御方式に関し、特にファクシミリ受信出力時の制御技術に関する。
【背景技術】
【０００２】
印字速度向上のために、複数の同一色ヘッドを利用して印字を行うインクジェット方式の印刷装置がある。このような印刷装置において、記録紙が搬送ベルトから浮き上がってキャリッジ上のヘッドに引っかかってジャムが発生した場合、自動的にヘッドを保護位置まで戻すことが不可能な状態になると、ヘッドが乾燥してしまい、最悪のケースでは、ヘッドの交換が必要となる。
プリンタ、コピーの場合は、ユーザーが装置の近辺に居るため即座に対処可能であるが、例えば夜間のファクシミリ受信出力などは、装置の近辺にユーザーが居ない場合が多く、即座の対処は期待できない。
このような問題に対処するために、インクジェット方式の印刷装置において、ヘッドが絡んだジャムの発生を防ぐ手段として、例えば特許文献１、２がある。これらは、機構を工夫することにより、ジャムの発生を防ぐものである。
【特許文献１】特開２００１−１７１０９９公報
【特許文献２】特許第２７３３９２７号
【発明の開示】
【発明が解決しようとする課題】
【０００３】
しかし、例えば特許文献２に記載された技術は、インクジェエットヘッドのノズル方向への記録紙の浮き上がり量を検出する手段を設け、浮き上がり量に応じてヘッドを退避させるというものであるため機構が複雑になるという問題がある。
本発明は、係る課題に鑑み、可能な限り生産性を損なわず、かつ、低コストでファクシミリ受信出力時の記録紙ジャムを防止することができるインクジェットキャリッジ制御方式を提供することを目的とする。
【課題を解決するための手段】
【０００４】
上記目的を達成するために、請求項１記載の発明は、複数の同一色ヘッドを有するキャリッジの主走査方向移動範囲を制御するインクジェットキャリッジ制御方式であって、前記キャリッジは、主走査方向両端にそれぞれＫヘッドを有し、ファクシミリ受信出力の場合は、主走査方向先端側のＫヘッドのみを使用することを特徴とする。
請求項２記載の発明は、請求項１記載のインクジェットキャリッジ制御方式において、ファクシミリ受信出力時の主走査方向先端側のＫヘッドのみを使用する制御機能の有効／無効を切り替え可能としたことを特徴とする。
請求項３記載の発明は、請求項１記載のインクジェットキャリッジ制御方式において、ファクシミリ受信に際し両面印刷出力を行う場合、第２面に関してのみファクシミリ受信出力時の主走査方向先端側のＫヘッドのみを使用する制御を行うことを特徴とする。
請求項４記載の発明は、複数の同一色ヘッドを有するキャリッジの主走査方向移動範囲を制御するインクジェットキャリッジ制御装置を備えたインクジェットプリンタであって、前記キャリッジは、主走査方向両端にそれぞれＫヘッドを有し、ファクシミリ受信出力の場合は、主走査方向先端側のＫヘッドのみを使用することを特徴とする。
請求項５記載の発明は、請求項４記載のインクジェットプリンタにおいて、ファクシミリ受信出力時の主走査方向先端側のＫヘッドのみを使用する制御装置の有効／無効を切り替え可能としたことを特徴とする。
請求項６記載の発明は、請求項４記載のインクジェットプリンタにおいて、ファクシミリ受信に際し両面印刷出力を行う場合、第２面に関してのみファクシミリ受信出力時の主走査方向先端側のＫヘッドのみを使用する制御を行うことを特徴とする。
【発明の効果】
【０００５】
本発明によれば、ユーザーが印刷装置の近辺に居ない可能性があるファクシミリ受信出力の際に、キャリッジをホームポジションに戻せないような記録紙ジャムの発生を低減することが可能となる。
また、ファクシミリ受信の出力に際して、生産性を求められる昼間の時間帯においては、コピー，プリンタと同じ印字速度とし、一方、ヘッドをキャップできないようなジャムが発生した場合に、対処できるユーザーが居ない夜間は、そのようなジャムが発生しないようにすることが可能となる。
また、受信文書を両面出力する際に、ヘッドをキャッピングできないようなジャムの発生の可能性を低減しつつ、生産性の低下も抑制することができる。
【発明を実施するための最良の形態】
【０００６】
以下、本発明の実施の形態を図面に従って説明する。
図１はキャリッジがホームポジションにある状態を示す図である。キャリッジ１は複数（この例では２つ）の同一色ヘッドを搭載している。符号Ｋで示すＫヘッドはキャリッジ１の主走査方向の先端と後端に設けられる。符号Ｙで示すＹヘッドはＫヘッドの内側に、符号Ｍで示すＭヘッドはＹヘッドの内側に、符号Ｃで示すＣヘッドはＭヘッドの内側に設けられる。キャリッジ１は、待機時にはホームポジションに退避し、ヘッドは、乾燥を防ぐためキャッピングされた状態になっている。
図２はコピーやプリンタ出力の際に、キャリッジが１ライン走査し終わった状態を示す図である。コピーやプリンタ出力の場合は、複数の同一色ヘッドを使用して印字を行うため、ホームポジションの反対側では、複数のヘッドが、記録紙領域外に位置する。言い替えるとキャリッジ１が記録紙の幅方向端部からはみ出る。
図３はファクシミリ受信出力の際に、キャリッジが１ライン走査し終わった状態を示す図である。本発明では、ファクシミリ受信文書を出力する際には、キャリッジ１の先端に位置するＫヘッドのみ使用するため、ホームポジションの反対側で、ヘッドが記録紙領域外に位置することがなくなる。言い替えるとキャリッジ１が記録紙の幅方向端部からはみ出ることがなくなる。このため、キャリッジ１をホームポジション側に戻す際、記録紙端をヘッドで引っ掛けて（図４参照）ジャムを発生させることがなくなる。
【０００７】
図５は本発明のインクジェットキャリッジ制御方式における第１の制御例を示すフローチャートである。図１〜図３で説明したように、まずファクシミリ受信出力か判断し（Ｓ１）、ファクシミリ受信でなければ通常の印字を行う（Ｓ２）。ファクシミリ受信であれば、図３に示すように先端側の１つのＫヘッドのみ使用して印字する（Ｓ３）。
図６（１）、（２）は本発明のインクジェットキャリッジ制御方式における第２の制御例を示すフローチャートである。印刷装置は、内部時計と、ファクシミリ受信出力時のキャリッジ移動制御（キャリッジ１は記録紙からはみ出ないように制御される）機能（以下、単に機能）の有効／無効を切り替えることができるスイッチと、上記機能をオン／オフする時刻を記憶するメモリを持つことが前提となる。
図６（１）において、スイッチが手動設定でないとき（Ｓ１１でＮ）、機能オンにしておく時間帯か判断し（Ｓ１２）、その時間帯でなければスイッチを機能オフに設定する（Ｓ１３）。機能オンにしておく時間帯であれば、スイッチを機能オンに設定する（Ｓ１４）。
図６（２）において、ファクシミリ受信出力か判断し（Ｓ２１）、ファクシミリ受信でなければ通常の印字を行う（Ｓ２２）。ファクシミリ受信であれば、スイッチが機能オンか判断し（Ｓ２３）、そうであれば図３に示すように先端側の１つのＫヘッドのみ使用して印字する（Ｓ２４）。
図７は本発明のインクジェットキャリッジ制御方式における第３の制御例を示すフローチャートである。この例は両面印刷の場合の制御例である。まずファクシミリ受信出力か判断し（Ｓ３１）、ファクシミリ受信でなければ通常の印字を行う（Ｓ３２）。ファクシミリ受信であれば、機能有効か判断し（Ｓ３３）、そうであれば、第２面の印刷か判断し（Ｓ３４）、そうであれば図３に示すように先端側の１つのＫヘッドのみ使用して印字する（Ｓ３５）。
記録紙を静電ベルトにて吸着し記録紙の平面性を保つようにした印字機構を有する場合、ファクシミリ受信文書を両面出力する際、第１面は２つのＫヘッドを用いて高速な印字を実現する。第１面を印字すると記録紙は吸湿し、静電ベルトとの吸着力が低下する。そのため、第２面は上記機能を実施して、ヘッドをホームポジションに戻せないようなジャム（図４参照）が発生するのを防ぐ。
【図面の簡単な説明】
【０００８】
【図１】キャリッジがホームポジションにある状態を示す図である。
【図２】コピーやプリンタ出力の際に、キャリッジが１ライン走査し終わった状態を示す図である。
【図３】ファクシミリ受信出力の際に、キャリッジが１ライン走査し終わった状態を示す図である。
【図４】ヘッドが記録紙に引っ掛かってジャムが生じた状態を示す図である。
【図５】本発明のインクジェットキャリッジ制御方式における第１の制御例を示すフローチャートである。
【図６】本発明のインクジェットキャリッジ制御方式における第２の制御例を示すフローチャートである。
【図７】本発明のインクジェットキャリッジ制御方式における第３の制御例を示すフローチャートである。
【符号の説明】
【０００９】
１  キャリッジ
Ｋ  Ｋヘッド
【図１】
2006001255.tif 000003
【図２】
2006001255.tif 000004
【図３】
2006001255.tif 000005
【図４】
2006001255.tif 000006
【図５】
2006001255.tif 000007
【図６】
2006001255.tif 000008
【図７】
2006001255.tif 000009